(57)【要約】【課題】光ディスクの劣化を抑制するとともに装置の高速化を実現し、使い勝手の良い光ディスク装置を提供することである。【解決手段】ＨＤＤ一体型光ディスク装置（光ディスク装置）１０は、光ディスクの再生及び記録を行うＤＶＤ記録再生部（光ディスク記録再生部）１９と、情報の記録及び消去が可能な不揮発性メモリ２３ａと、各部を制御する制御部２６とを備え、制御部２６の制御により、光ディスクに書き込まれる情報は先に不揮発性メモリ２３ａ上に記録され、光ディスクのイジェクト要求がなされた場合にのみ、不揮発性メモリ２３ａ上の情報が光ディスクに書き込まれ、光ディスクに書き込まれていない不揮発性メモリ２３ａ上に記録された情報を読み込む場合は、不揮発性メモリ２３ａにアクセスする構成とする。【選択図】図１
2008140482.tif 000002
【特許請求の範囲】
【請求項１】
ＤＶＤの再生及び記録を行うＤＶＤ記録再生部と、情報の記録及び消去が可能な不揮発性メモリ及び揮発性メモリと、アンテナで受信したテレビ放送信号を復調、デジタル化するチューナと、該チューナから受け取った画像音声データを圧縮符号化したり、前記ＤＶＤ記録再生部で再生された圧縮された画像音声データを伸長復号したりする画像音声圧縮伸長部と、各種設定値を表示装置の一部に表示しながら設定できるようにするＯＳＤ部と、該ＯＳＤ部からの画像信号をアナログ化し、表示装置へ出力する画像出力部と、前記画像音声圧縮伸長部からの音声信号をアナログ化し、表示装置へ出力する音声出力部と、各部を制御する制御部とを備えた光ディスク装置において、
前記制御部の制御により、
ＤＶＤに書き込まれる管理情報の中の、ＲＭＡ、又はＦＤＣＢの情報は先に前記不揮発性メモリ上に記録され、ＤＶＤのイジェクト要求がなされた場合にのみ、前記不揮発性メモリ上の前記情報がＤＶＤに書き込まれ、
ＤＶＤに書き込まれていない前記不揮発性メモリ上に記録された情報を読み込む場合は、前記不揮発性メモリにアクセスすることを特徴とする光ディスク装置。
【請求項２】
光ディスクの再生及び記録を行う光ディスク記録再生部と、情報の記録及び消去が可能な不揮発性メモリと、各部を制御する制御部とを備えた光ディスク装置において、
前記制御部の制御により、
光ディスクに書き込まれる情報は先に前記不揮発性メモリ上に記録され、光ディスクのイジェクト要求がなされた場合にのみ、前記不揮発性メモリ上の情報が光ディスクに書き込まれることを特徴とする光ディスク装置。
【請求項３】
光ディスクに書き込まれていない前記不揮発性メモリ上に記録された情報を読み込む場合は、前記不揮発性メモリにアクセスすることを特徴とする請求項２記載の光ディスク装置。
【請求項４】
前記情報は、光ディスクの管理情報であることを特徴とする請求項２又は３記載の光ディスク装置。
【請求項５】
前記情報は、光ディスクの管理情報の中の、ＲＭＡ、ＦＤＣＢ、ＤＭＡ、又はＴＤＭＡの情報であることを特徴とする請求項２又は３記載の光ディスク装置。
【請求項６】
光ディスクの再生及び記録を行う光ディスク記録再生部と、情報の記録及び消去が可能な不揮発性メモリと、各部を制御する制御部とを備えた光ディスク装置において、
前記制御部は、
光ディスクがインサートされてからの書き込みの回数を所定のディスク領域ごとに検出し、所定の閾値よりも書き込み回数の多いディスク領域を算出し、
前記制御部の制御により、
前記算出したディスク領域に書き込まれる情報は先に前記不揮発性メモリ上に記録され、光ディスクのイジェクト要求がなされた場合にのみ、前記不揮発性メモリ上の情報が光ディスクに書き込まれることを特徴とする光ディスク装置。
【請求項７】
光ディスクに書き込まれていない前記不揮発性メモリ上に記録された情報を読み込む場合は、前記不揮発性メモリにアクセスすることを特徴とする請求項６記載の光ディスク装置。
【請求項８】
前記所定のディスク領域は、ユーザデータ領域を複数に区分した領域であることを特徴とする請求項６又は７記載の光ディスク装置。
【発明の詳細な説明】
【技術分野】
【０００１】
本発明は、光ディスク装置に関し、詳しくは光ディスクへの書き込み制御に関する。
【背景技術】
【０００２】
光ディスクは、現在普及しているＣＤやＤＶＤに加え、次世代光ディスクとしてブルーレイディスク（以下ＢＤと記す）やＨＤ  ＤＶＤの開発が進んでいる。それに伴いデータを記録することができる記録型光ディスクも利用されている。この記録型光ディスクには、追記型（ＣＤ−ＲやＤＶＤ−Ｒなど）のものと書換型（ＣＤ−ＲＷやＤＶＤ−ＲＷなど）のものとがある。
【０００３】
そして、この記録型光ディスクに記録を行う光ディスク装置は、光ディスクへの書き込みを様々な方法で制御し、使い勝手を向上させている。
【０００４】
例えば特許文献１には、本体にセットされている光ディスクにデータや記録管理情報を記録する前に、光ディスクに記録するデータや記録管理情報をバックエンド部の一時記録部に記録し、そのデータを光ディスクに記録すると、一時記録部に記録した該当するデータを削除する光ディスク装置が開示されている。
【０００５】
例えば特許文献２には、磁気ディスクから読み出した管理情報を不揮発性メモリに記録し、管理情報を読み出すときには不揮発性メモリにアクセスする磁気ディスク装置が開示されている。
【０００６】
例えば特許文献３には、ディスクイジェクト時に編集データやディスク管理情報などを光ディスクに記録するディスク記録再生装置が開示されている。
【特許文献１】特開２００６−１７９０９０号公報
【特許文献２】特開２００３−１６７７８１号公報
【特許文献３】特開平６−２５９９３９号公報
【発明の開示】
【発明が解決しようとする課題】
【０００７】
ところで、記録型光ディスクは、データを追記したり書き換えたりして使用されるためディスクへの負荷が大きく、頻繁に使用すればそれだけ劣化も速く進む。したがって、書き込みの頻度は少なくすることが好ましい。しかしながら、上記の特許文献１〜３では、書き込みの頻度を少なくすることについては考慮されていない。
【０００８】
また従来は、例えばディスクの管理情報の光ディスクへの書き込みはいくつかのタイミングで行われていた。例えば、揮発性メモリ上に保存されユーザデータの書き込みが完了したタイミングで揮発性メモリから光ディスクに書き込まれる。これはユーザデータの書き込み完了時点で直ぐに管理情報を光ディスクへ書き込まないと、停電などの電源障害で揮発性メモリ上のデータが失われた場合に書き込んだユーザデータと管理情報とが一致せず、この光ディスクが使用できなくなるからである。
【０００９】
また例えば、揮発性メモリ上に保存された管理情報はパワーオフ時に光ディスクに書き込まれる。これはパワーオフにより揮発性メモリ上の情報が失われ管理情報を書き込めないからである。また例えば、特許文献３のように、揮発性メモリ上に保存された管理情報はディスクイジェクト時に光ディスクに書き込まれる。これは次にインサートされる光ディスクが現在の光ディスクと異なれば、現在の光ディスクに管理情報を書き込めないからである。
【００１０】
上記の３つのタイミングで管理情報を光ディスクに書き込めば、ほぼ確実に光ディスクに管理情報を書き込めが、書き込みの頻度を少なくすることはできない。また、揮発性メモリ上の管理情報は、停電などの電源障害で失われるおそれもある。
【００１１】
また、書き込みの頻度が高いということは光ディスクの劣化を速めるだけでなく、書き込みに要する時間が装置の高速化を妨げる要因ともなる。さらに、書き込み済みのデータは揮発性メモリから消去されるので、そのデータにアクセスする場合は光ディスクから読み出す必要があり、アクセスに時間が掛かる。
【００１２】
本発明は、光ディスクの劣化を抑制するとともに装置の高速化を実現し、使い勝手の良い光ディスク装置を提供することを目的とする。
【課題を解決するための手段】
【００１３】
上記目的を達成するために本発明は、光ディスクの再生及び記録を行う光ディスク記録再生部と、情報の記録及び消去が可能な不揮発性メモリと、各部を制御する制御部とを備えた光ディスク装置において、
前記制御部の制御により、
光ディスクに書き込まれる情報は先に前記不揮発性メモリ上に記録され、光ディスクのイジェクト要求がなされた場合にのみ、前記不揮発性メモリ上の情報が光ディスクに書き込まれることを特徴とする。
【００１４】
上記の光ディスク装置において、光ディスクに書き込まれていない前記不揮発性メモリ上に記録された情報を読み込む場合は、前記不揮発性メモリにアクセスすればよい。
【００１５】
また上記の光ディスク装置において、前記情報は、光ディスクの管理情報とすることができる。
【００１６】
また上記の光ディスク装置において、前記情報は、光ディスクの管理情報の中の、ＲＭＡ、ＦＤＣＢ、ＤＭＡ、又はＴＤＭＡの情報とすることができる。
【００１７】
また本発明は、光ディスクの再生及び記録を行う光ディスク記録再生部と、情報の記録及び消去が可能な不揮発性メモリと、各部を制御する制御部とを備えた光ディスク装置において、
前記制御部は、
光ディスクがインサートされてからの書き込みの回数を所定のディスク領域ごとに検出し、所定の閾値よりも書き込み回数の多いディスク領域を算出し、
前記制御部の制御により、
前記算出したディスク領域に書き込まれる情報は先に前記不揮発性メモリ上に記録され、光ディスクのイジェクト要求がなされた場合にのみ、前記不揮発性メモリ上の情報が光ディスクに書き込まれることを特徴とする。
【００１８】
上記の光ディスク装置において、光ディスクに書き込まれていない前記不揮発性メモリ上に記録された情報を読み込む場合は、前記不揮発性メモリにアクセスすればよい。
【００１９】
また上記の光ディスク装置において、前記所定のディスク領域は、ユーザデータ領域を複数に区分した領域とすることができる。
【００２０】
本発明を具体化すると、ＤＶＤの再生及び記録を行うＤＶＤ記録再生部と、情報の記録及び消去が可能な不揮発性メモリ及び揮発性メモリと、アンテナで受信したテレビ放送信号を復調、デジタル化するチューナと、該チューナから受け取った画像音声データを圧縮符号化したり、前記ＤＶＤ記録再生部で再生された圧縮された画像音声データを伸長復号したりする画像音声圧縮伸長部と、各種設定値を表示装置の一部に表示しながら設定できるようにするＯＳＤ部と、該ＯＳＤ部からの画像信号をアナログ化し、表示装置へ出力する画像出力部と、前記画像音声圧縮伸長部からの音声信号をアナログ化し、表示装置へ出力する音声出力部と、各部を制御する制御部とを備えた光ディスク装置において、
前記制御部の制御により、
ＤＶＤに書き込まれる管理情報の中の、ＲＭＡ、又はＦＤＣＢの情報は先に前記不揮発性メモリ上に記録され、ＤＶＤのイジェクト要求がなされた場合にのみ、前記不揮発性メモリ上の前記情報がＤＶＤに書き込まれ、
ＤＶＤに書き込まれていない前記不揮発性メモリ上に記録された情報を読み込む場合は、前記不揮発性メモリにアクセスする構成となる。
【発明の効果】
【００２１】
従来は光ディスクにユーザデータを書き込んだ直後に管理情報も光ディスクへ書き込んでいたが、本発明によれば、管理情報はイジェクト時まで光ディスクに書き込まないので、イジェクト前に管理情報に何回変更があっても光ディスクへ書き込むのは１回だけとなる。したがって、光ディスクへの管理情報の書き込み回数を減らすことができ、書き込みによるディスクの劣化を抑制することができる。また、追記型の光ディスクを用いる場合には、書き込める管理情報の個数に制限があるため、上記のように書き込み回数を減らすことで光ディスクの使用可能期間を延長することができる。
【００２２】
また、光ディスクに書き込まれる管理情報は先に不揮発性メモリ上に記録することにより、パワーオフしても管理情報は保持されるので、パワーオフ時に管理情報を光ディスクに書き込む必要がなくなり、管理情報の書き込み回数を減らすことができ、書き込みによるディスクの劣化を抑制することができる。さらに、停電などの電源障害が生じた場合でも管理情報は保持されるので、書き込んだユーザデータと管理情報とが一致しないことによってこのディスクが使用できなくなることを防止できる。
【００２３】
また、ユーザデータを書き込んだ後イジェクトする前にそのユーザデータを再生するような場合、つまり光ディスクに書き込まれていない不揮発性メモリ上に記録された管理情報を読み込む場合は、不揮発性メモリにアクセスすることにより、アクセス速度が増して装置の高速化を実現することができる。
【００２４】
また、従来はユーザデータは直接光ディスクに書き込んでいたが、本発明によれば、書き込み頻度の高いユーザデータ領域への書き込みはイジェクト時まで光ディスクに書き込まないようにすることで、イジェクト前に何回データ変更があっても光ディスクへ書き込むのは１回だけとなる。したがって、光ディスクへの書き込み回数を減らすことができ、書き込みによるディスクの劣化を抑制することができる。
【００２５】
また、光ディスクに書き込まれる所定のユーザデータは先に不揮発性メモリ上に記録することにより、パワーオフしてもそのユーザデータは保持されるので、パワーオフ時にそのユーザデータを光ディスクに書き込む必要がなくなり、ユーザデータの書き込み回数を減らすことができ、書き込みによるディスクの劣化を抑制することができる。さらに、停電などの電源障害が生じた場合でもそのユーザデータは保持されるので、ディスクに書き込んでいないユーザデータを失うことがない。
【００２６】
また、ユーザデータを書き込んだ後イジェクトする前にそのユーザデータを再生するような場合、つまり光ディスクに書き込まれていない不揮発性メモリ上に記録されたユーザデータを読み込む場合は、不揮発性メモリにアクセスすることにより、アクセス速度が増して装置の高速化を実現することができる。
【００２７】
以上のように、本発明によれば使い勝手の良い光ディスク装置を提供することができる。
【発明を実施するための最良の形態】
【００２８】
以下、ディスク記録再生装置の一例として、ハードディスクドライブ（ＨＤＤ）一体型光ディスク装置を用いて説明する。図１は、ＨＤＤ一体型光ディスク装置１０の構成及びその周辺機器を示すブロック図である。ＨＤＤ一体型光ディスク装置１０には、テレビ等の表示装置１１と、ケーブルテレビや衛星放送等のセットトップボックス又はビデオデッキ等の映像音声記録装置に代表される外部装置１２とが接続されている。またＨＤＤ一体型光ディスク装置１０は、リモコン１３によって操作可能である。以下では、光ディスクとしてＤＶＤを例に説明する。
【００２９】
ＨＤＤ一体型光ディスク装置１０は、アンテナ１５で受信したテレビ放送信号を復調、デジタル化するチューナ１６と、チューナ１６や外部装置１２から受け取った画像音声データをＭＰＥＧ２等に準拠して圧縮符号化したり、ＨＤＤ記録再生部１８又はＤＶＤ記録再生部１９で再生された圧縮された画像データを伸長復号したりする画像音声圧縮伸長部１７と、画像音声圧縮伸長部１７から受け取った圧縮された画像音声データをＨＤＤに記録したり、ＨＤＤに記録されたデータを再生したりするＨＤＤ記録再生部１８と、画像音声圧縮伸長部１７から受け取った圧縮された画像音声データを挿入されたＤＶＤに記録したり、ＤＶＤに記録されたデータを再生したりするＤＶＤ記録再生部１９と、各種設定値を表示装置１１の一部に表示しながら設定できるようにするＯＳＤ（On Screen Display）部２０と、ＯＳＤ部２０からの画像信号をアナログ化し、表示装置１１へ出力する画像出力部２１と、画像音声圧縮伸長部１７からの音声信号をアナログ化し、表示装置へ出力する音声出力部２２と、情報の記録及び消去が可能な不揮発性メモリ２３ａ及び揮発性メモリ２３ｂからなるメモリ２３と、リモコン１３からの信号を受信するリモコン受信部２４と、外部装置１２が接続される外部Ｉ／Ｆ２５と、ＨＤＤ一体型光ディスク装置１０の各部を制御する制御部２６とを備えている。不揮発性メモリ２３ａとしては、フラッシュＲＯＭなどを用いることができる。
【００３０】
また、制御部２６は、ＤＶＤに書き込まれる情報を先に不揮発性メモリ２３ａ上に記録させ、ＤＶＤのイジェクト要求がなされた場合にのみ、不揮発性メモリ２３ａ上の情報をＤＶＤに書き込ませる制御も行う。以下、この書き込みの制御について詳しく説明する。
【００３１】
図２は、ＨＤＤ一体型光ディスク装置１０の書き込みの制御の一例を示すフローチャートである。まず、記録型のＤＶＤがＤＶＤ記録再生部１９にセットされた状態で、ステップＳ１０において制御部２６はユーザデータの書き込みの指示があるか否かを判別する。なお、ユーザデータの書き込みの指示は、リモコン１３が操作されて録画などの指示がなされると、リモコン１３から信号が発信されることによりなされる。
【００３２】
ステップＳ１０において指示がある場合は、ステップＳ１１へ進んでＤＶＤへユーザデータの書き込みを行い、ステップＳ１２へ進んで不揮発性メモリ２３ａ上へＤＶＤの管理情報を記録する。
【００３３】
一方、ステップＳ１０において指示がない場合、又はステップＳ１２に続いて、ステップＳ１３へ進む。ステップＳ１３では、リモコン１３が操作されてパワーオフの要求があったか否かを判別する。ステップＳ１３においてパワーオフの要求があれば、ステップＳ１４へ進んで制御部２６はパワーオフの制御を行う。その後ステップＳ１５へ進んでリモコン１３が操作されてパワーオンの要求がなされるのを待つ。そしてステップＳ１５においてパワーオンの要求があれば、ステップＳ１６へ進んで制御部２６はパワーオンの制御を行い、ステップＳ１７へ進む。
【００３４】
一方、ステップＳ１３においてパワーオフの要求がない場合もステップＳ１７へ進む。ステップＳ１７では、リモコン１３が操作されてＤＶＤの再生要求がなされたか否かを判別する。ステップＳ１７においてＤＶＤの再生要求があった場合、ステップＳ１８へ進んで不揮発性メモリ２３ａにアクセスし、不揮発性メモリ２３ａ上に記録された管理情報を読み込み、ステップＳ１９へ進んでＤＶＤから所定のユーザデータを読み出して再生する。
【００３５】
次に、ステップＳ２０へ進んでリモコン１３が操作されてＤＶＤの再生停止要求がなされたか否かを判別する。ステップＳ２０において再生停止要求があった場合は、ステップＳ２１へ進んでＤＶＤの再生を停止する。
【００３６】
次に、ステップＳ２２へ進んでＤＶＤのイジェクト要求がなされたか否かを判別する。ステップＳ２２においてイジェクト要求があった場合は、ステップＳ２３へ進んで不揮発性メモリ２３ａ上に管理情報が記録されていればその管理情報をＤＶＤに書き込み、その後、ステップＳ２４へ進んでＤＶＤをイジェクトして処理を終了する。一方、ステップＳ２２においてイジェクト要求がない場合は、ステップＳ１０に戻る。
【００３７】
つまり、従来はＤＶＤにユーザデータを書き込んだ直後に管理情報もＤＶＤへ書き込んでいたが、管理情報はイジェクト時までＤＶＤに書き込まないので、イジェクト前に管理情報に何回変更があってもＤＶＤへ書き込むのは１回だけとなる。したがって、ＤＶＤへの管理情報の書き込み回数を減らすことができ、書き込みによるディスクの劣化を抑制することができる。また、追記型の光ディスクを用いる場合には、書き込める管理情報の個数に制限があるため、上記のように書き込み回数を減らすことでＤＶＤの使用可能期間を延長することができる。
【００３８】
また、ＤＶＤに書き込まれる管理情報は先に不揮発性メモリ２３ａ上に記録することにより、パワーオフしても管理情報は保持されるので、パワーオフ時に管理情報をＤＶＤに書き込む必要がなくなり、管理情報の書き込み回数を減らすことができ、書き込みによるディスクの劣化を抑制することができる。さらに、停電などの電源障害が生じた場合でも管理情報は保持されるので、書き込んだユーザデータと管理情報とが一致しないことによってこのディスクが使用できなくなることを防止できる。
【００３９】
また、ユーザデータを書き込んだ後イジェクトする前にそのユーザデータを再生するような場合、つまりＤＶＤに書き込まれていない不揮発性メモリ２３ａ上に記録された管理情報を読み込む場合は、不揮発性メモリ２３ａにアクセスすることにより、アクセス速度が増して装置の高速化を実現することができる。以上のように、上記のＨＤＤ一体型光ディスク装置１０によれば、使い勝手が向上する。
【００４０】
なお、上記の実施形態ではＤＶＤを例に説明したが、ＢＤなどの他の方式の光ディスクにも適用できる。なお、管理情報の中でも頻繁に書き換えが行われる情報について、上記のような処理を行うことが望ましい。その情報の一例を各ディスクのリードイン構造を用いて以下に説明する。
【００４１】
図３（ａ）はＤＶＤ−ＲＷのリードイン構造、（ｂ）はＤＶＤ−Ｒのリードイン構造、（ｃ）はＤＶＤ＋ＲＷのリードイン構造、（ｄ）はＤＶＤ＋Ｒのリードイン構造を示す図である。また図４（ａ）はＢＤ−ＲＥのリードイン構造、（ｂ）はＢＤ−Ｒのリードイン構造を示す図である。なお、本明細書ではR-Information AreaやInner Drive Areaはリードイン構造に含まれるものとして取り扱う。
【００４２】
ＤＶＤ−ＲＷ及び−ＲにおいてはＲＭＡ（レコーディングマネージメントエリア）の情報、ＤＶＤ＋ＲＷにおいてはＦＤＣＢ（ディスクコントロールブロック）の情報、ＢＤ−ＲＥにおいてはＤＭＡ（ディフェクトマネージメントエリア）の情報、ＢＤ−ＲにおいてはＴＤＭＡ（テンポラリディフェクトマネージメントエリア）の情報が、頻繁に書き換えられる情報である。
【００４３】
したがって、これらＲＭＡ、ＦＤＣＢ、ＤＭＡ、又はＴＤＭＡの情報を上述のように不揮発性メモリ２３ａに記録してからイジェクト時に光ディスクに書き込むことにより、効率よくディスクの劣化を抑制することができる。
【００４４】
図５は、ＨＤＤ一体型光ディスク装置１０の書き込みの制御の他の例を示すフローチャートである。図２と同じ処理については同符号を付し、その詳細な説明を省略する。
【００４５】
まず、記録型のＤＶＤがＤＶＤ記録再生部１９にセットされた状態で、ステップＳ１０において制御部２６はユーザデータの書き込みの指示があるか否かを判別する。なお、ユーザデータの書き込みの指示は、リモコン１３が操作されて録画などの指示がなされると、リモコン１３から信号が発信されることによりなされる。
【００４６】
ステップＳ１０において指示がある場合は、ステップＳ３０へ進んで制御部２６はユーザデータ領域のどの区分への書き込み指示かを算出する。なお、区分とは、ユーザデータ領域を例えば均等に複数に区分けしたものである。一方、ステップＳ１０において指示がない場合はステップＳ１３へ進む。
【００４７】
ステップＳ３０からステップＳ３１へ進んで、上記のようにして算出した区分の書き込み回数に１加算し、その書き込み回数をメモリ２３に記録する。メモリ２３上には現在のＤＶＤがインサートされてからのユーザデータ領域の区分ごとの書き込み回数が記録されている。この書き込み回数は光ディスクがイジェクトされるまで保持するものとする。
【００４８】
次に、ステップＳ３２へ進んで、上記のようにして算出した区分の書き込み回数と所定の閾値とを比較する。その結果、ステップＳ３２において書き込み回数が所定の閾値よりも大きい場合は、その領域への書き込み頻度が高いと判断し、ディスクの劣化を抑制するため、ステップＳ３３へ進んで書き込む予定のユーザデータを不揮発性メモリ２３ａ上に記録し、ステップＳ１３へ進む。
【００４９】
一方、ステップＳ３２において書き込み回数が所定の閾値よりも小さい場合は、その領域への書き込み頻度が低いと判断し、ステップＳ３４へ進んで書き込み予定のユーザデータをＤＶＤに書き込み、ステップＳ１３へ進む。
【００５０】
ステップＳ１３からステップＳ１７までは図２と同様である。ステップＳ１７からはステップＳ３５へ進んで不揮発性メモリ２３ａ上のユーザデータを読み込み、ステップＳ１９へ進んで再生する。その後、ステップＳ２０からステップＳ２２を経てステップＳ３６へ進む。ステップＳ３６では、不揮発性メモリ２３ａ上にＤＶＤへ書き込む予定のユーザデータが記録されていればそのデータをＤＶＤに書き込み、その後、ステップＳ２４へ進んでＤＶＤをイジェクトして処理を終了する。
【００５１】
つまり、従来はユーザデータは直接ＤＶＤに書き込んでいたが、書き込み頻度の高いユーザデータ領域への書き込みはイジェクト時までＤＶＤに書き込まないようにすることで、イジェクト前に何回データ変更があってもＤＶＤへ書き込むのは１回だけとなる。したがって、ＤＶＤへの書き込み回数を減らすことができ、書き込みによるディスクの劣化を抑制することができる。
【００５２】
また、ＤＶＤに書き込まれる所定のユーザデータは先に不揮発性メモリ２３ａ上に記録することにより、パワーオフしてもそのユーザデータは保持されるので、パワーオフ時にそのユーザデータをＤＶＤに書き込む必要がなくなり、ユーザデータの書き込み回数を減らすことができ、書き込みによるディスクの劣化を抑制することができる。さらに、停電などの電源障害が生じた場合でもそのユーザデータは保持されるので、ディスクに書き込んでいないユーザデータを失うことがない。
【００５３】
また、ユーザデータを書き込んだ後イジェクトする前にそのユーザデータを再生するような場合、つまりＤＶＤに書き込まれていない不揮発性メモリ２３ａ上に記録されたユーザデータを読み込む場合は、不揮発性メモリ２３ａにアクセスすることにより、アクセス速度が増して装置の高速化を実現することができる。以上のように、上記のＨＤＤ一体型光ディスク装置１０によれば、使い勝手が向上する。
【００５４】
なお、上記の実施形態ではＤＶＤを例に説明したが、ＢＤなどの他の方式の光ディスクにも適用できる。例えば、ＢＤ−Ｒにおけるロジカルオーバーライトに適用すればユーザデータ領域の使用を抑制でき、ＢＤ−ＲＥやＤＶＤ±ＲＷにおけるオーバーライトに適用すれば、ユーザデータ領域の劣化を抑制することができる。
【００５５】
なお、図２の動作に図５の動作を加え、管理情報と所定のユーザデータを不揮発性メモリ２３ａに一時的に記録するようにしてもよい。さらに、本発明において不揮発性メモリ２３ａに一時的に記録する情報は上記の情報だけでなく、光ディスクに書き込む情報であればどの領域の情報（リードイン領域、ユーザデータ領域、リードアウト領域のそれぞれの情報）にでも適用することができる。例えば不揮発性メモリ２３ａの容量が許すのであれば、光ディスクに書き込む情報は全て先に不揮発性メモリ２３ａ上に記録するようにし、イジェクト時に光ディスクへ書き込むようにしてもよい。
【００５６】
なお、本発明において不揮発性メモリ２３ａ上に記録された情報を光ディスクに書き込んだ後は、不揮発性メモリ２３ａ上のその情報は消去する。
【産業上の利用可能性】
【００５７】
本発明は、ＣＤ、ＤＶＤ、ＢＤ、ＨＤ  ＤＶＤなどの光ディスクを再生・記録する光ディスク装置に利用でき、また、ＨＤＤなどを付加した複合機、例えばＨＤＤ一体型光ディスク装置等にも利用することができる。
【図面の簡単な説明】
【００５８】
【図１】本発明のＨＤＤ一体型光ディスク装置の構成及びその周辺機器を示すブロック図である。
【図２】本発明のＨＤＤ一体型光ディスク装置の書き込みの制御の一例を示すフローチャートである。
【図３】（ａ）はＤＶＤ−ＲＷのリードイン構造、（ｂ）はＤＶＤ−Ｒのリードイン構造、（ｃ）はＤＶＤ＋ＲＷのリードイン構造、（ｄ）はＤＶＤ＋Ｒのリードイン構造を示す図である。
【図４】（ａ）はＢＤ−ＲＥのリードイン構造、（ｂ）はＢＤ−Ｒのリードイン構造を示す図である。
【図５】本発明のＨＤＤ一体型光ディスク装置の書き込みの制御の他の例を示すフローチャートである。
【符号の説明】
【００５９】
１０    ＨＤＤ一体型光ディスク装置（光ディスク装置）
１１    表示装置
１５    アンテナ
１６    チューナ
１７    画像音声圧縮伸長部
１９    ＤＶＤ記録再生部（光ディスク記録再生部）
２０    ＯＳＤ部
２１    画像出力部
２２    音声出力部
２３ａ    不揮発性メモリ
２３ｂ    揮発性メモリ
２６    制御部
【図１】
2008140482.tif 000003
【図２】
2008140482.tif 000004
【図３】
2008140482.tif 000005
【図４】
2008140482.tif 000006
【図５】
2008140482.tif 000007